(57)【特許請求の範囲】
【請求項１】
それぞれ略矩形板状に形成されたケース体を重ね合わせた状態で接合し、各ケース体の間に記録ディスクを回転自在に収納するカセットケースと、
前記カセットケースの側壁部に設けられ、前記記録ディスクの一部を露出させるウインド部と、
前記カセットケースの前端縁部に沿ってスライド可能に取り付けられ、前記ウインド部を開閉するシャッタと、
捩りコイルバネの両端を延長して形成した各延長端部の先端に、それぞれ屈曲部を形成し、第１の延長端部の屈曲部が、前記シャッタに設けた移動側係止部に係止されるとともに、第２の延長端部の屈曲部が、前記カセットケースの前記シャッタがウインド部を開成する方向に移動する側のコーナ部に設けた固定側係止部に係止され、前記ウインド部を閉成する方向にシャッタを付勢するシャッタバネと、
を有するディスクカセットにおいて、
前記固定側係止部は、各ケース体のうちの一方のケース体の前記コーナ部に、前記シャッタバネの第２の延長端部の屈曲部を固定側係止部に装着する際に、この屈曲部の軌道にほぼ沿った方向に形成された導入溝部を有し、
この導入溝部の終端部に、前記シャッタバネの第２の延長端部の屈曲部を受け止める受け部を設けるとともに、
この受け部に連続して、前記コーナ部と反対方向に切り込み形成した抜け止め溝部を設け、
前記抜け止め溝部は、前記シャッタバネのコイル部を中心とする前記第２の延長端部の屈曲部の揺動方向にほぼ沿った方向に形成されている
ことを特徴とするディスクカセット。
【請求項２】
前記抜け止め溝部は、導入溝部に対してほぼＬ字形に形成されていることを特徴とする請求項１記載のディスクカセット。
【請求項３】
前記導入溝部、受け部および抜け止め溝部は、前記コーナ部に設けたリブにより形成されていることを特徴とする請求項１記載のディスクカセット。
【請求項４】
前記コーナ部は、前記カセットケースの前端縁部より前方に突出して前記シャッタの移動範囲を制限する凸部を有し、この凸部に設けたリブと、前記コーナ部の内方側に設けたリブとの間に前記導入溝部が形成され、前記コーナ部の内方側に設けたリブに前記抜け止め溝部が形成されていることを特徴とする請求項１記載のディスクカセット。
【請求項５】
前記受け部は、前記一方のケース体の外周に設けられたリブの内側に形成されていることを特徴とする請求項３または４記載のディスクカセット。
【請求項６】
前記シャッタは、前記カセットケースの前端縁部に沿って形成されたシャッタスライド溝に係合してガイドされ、前記カセットケースの前端縁部に沿ってスライド可能に取り付けられたスライダと、このスライダに一体に取り付けられて前記ウインド部を開閉するシャッタ板とを有することを特徴とする請求項１記載のディスクカセット。
【請求項７】
前記スライダの端部は、前記ケース体のコーナ部に設けたリブと干渉しない形状に形成されていることを特徴とする請求項６記載のディスクカセット。
【発明の詳細な説明】
【０００１】
【発明の属する技術分野】
本発明は、磁気ディスク等の各種記録ディスクを収納したディスクカセットに関し、詳しくはディスクカセットに設けたシャッタを付勢するシャッタバネの取り付け構造に関するものである。
【０００２】
【従来の技術】
従来より、この種のディスクカセットにおいては、シェルと呼ばれる上下２枚のケース体を重ね合わせて一体化することにより、各ケース体の間に記録ディスクを挟持して回転自在に収容した構造のものが提供されている。
また、このディスクカセットでは、ケース体に記録再生用のウインド部を形成するとともに、このウインド部を閉成するシャッタが設けられている。
【０００３】
そして、このディスクカセットをディスクドライブ装置に装着して記録ディスクの記録再生を行う場合には、ディスクドライブ装置側の機構により、シャッタをスライドさせてウインド部より記録ディスクの記録面を露出させて記録再生を行う。
また、ディスクカセットをディスクドライブ装置より取り外すことにより、ディスクカセットに設けたシャッタバネにより、シャッタを移動して、ウインド部を閉成するようになっている。
【０００４】
このシャッタを復帰させるためのシャッタバネは、捩りコイルバネよりなり、一端をシャッタ側に係止するとともに、他端をディスクカセットの１つのコーナ部に係止したものであり、シャッタのスライド移動に伴って屈伸するようになっている。
すなわち、ウインド部を開成する際には、シャッタをコーナ部側に強制的にスライドすることで、バネの両端が互いに接近する方向にシャッタバネが屈曲し、ウインド部を閉成する際には、バネの両端が互いに離れる方向にシャッタバネが伸長し、シャッタをケースの中央方向に移動する。
【０００５】
また、シャッタバネの両端部は、Ｌ字形に屈曲され、シャッタ側に係止される端部がシャッタ板等に設けた係止孔に係止され、ケース側の端部が前述したコーナ部に設けたリブの間の係止溝に係止されている。
図５は、このようなケースのコーナ部に設けたシャッタバネの係止溝の従来例を示す平面図である。
この図５は、２枚のケース体のうちの一方のケース体２における前端縁部の左側コーナ部４を示しており、本図では示していないが、シャッタ板を設けたスライダは、ケース体２に形成したシャッタスライド溝２Ａに係合してガイドされ、ケース体２の前端縁部に沿って矢線Ｙ方向にスライドするようになっている。
【０００６】
また、コーナ部４には、ケース体２の前端縁部より前方に突出してシャッタの移動範囲を制限する凸部４Ａを有し、この凸部４Ａに設けたリブ４ａと、コーナ部４の内方側に設けたリブ４ｂとの間に、シャッタバネ６の屈曲部６ａを係止する係止溝８が形成されている。
係止溝８は、この係止溝８にシャッタバネ６を屈伸させて装着する際に、屈曲部６ａの軌道に沿った方向に形成され、屈曲部６ａをスムーズに導けるようになっている。また、リブ４ｂは、スライダの移動に対し、干渉しないよう、シャッタスライド溝２Ａを避けるようにして形成されている。
【０００７】
【発明が解決しようとする課題】
しかしながら、上記従来技術において、係止溝８に適正に装着されたシャッタバネ６が、例えば図５に矢線Ｚで示す方向に負荷を受けた場合、図５に実線で示す状態から撓んで、屈曲部６ａが係止溝８より離脱し、破線で示すように、リブ４ｂの裏側に移動してしまう場合がある。
そして、このようなシャッタバネ６の離脱により、シャッタが適正に動作できなくなり、ディスクカセットの信頼性を低下させてしまうという欠点がある。
【０００８】
また、ディスクカセットの製造工程において、シャッタバネ６の装着状態を検査する工程が必要となり、また、シャッタバネ６の離脱によって、製品歩留が悪くなるという欠点がある。
なお、上述したリブ４ｂを延長して、シャッタバネ６の離脱を防ごうとした場合、延長したリブ４ｂのために、シャッタバネ６の屈曲部６ａを係止溝８に装着する作業が円滑に行えなくなり、また、移動するシャッタと干渉する形状となってしまうという困難が生じる。
【０００９】
そこで本発明の目的は、シャッタバネの装着作業性を損なうことなく、また、シャッタへの干渉を生じることなく、シャッタバネの離脱を有効に防止することができるディスクカセットを提供することを目的とする。
【００１０】
【課題を解決するための手段】
本発明は上記目的を達成するため、それぞれ略矩形板状に形成されたケース体を重ね合わせた状態で接合し、各ケース体の間に記録ディスクを回転自在に収納するカセットケースと、前記カセットケースの側壁部に設けられ、前記記録ディスクの一部を露出させるウインド部と、前記カセットケースの前端縁部に沿ってスライド可能に取り付けられ、前記ウインド部を開閉するシャッタと、捩りコイルバネの両端を延長して形成した各延長端部の先端に、それぞれ屈曲部を形成し、第１の延長端部の屈曲部が、前記シャッタに設けた移動側係止部に係止されるとともに、第２の延長端部の屈曲部が、前記カセットケースの前記シャッタがウインド部を開成する方向に移動する側のコーナ部に設けた固定側係止部に係止され、前記ウインド部を閉成する方向にシャッタを付勢するシャッタバネとを有するディスクカセットにおいて、前記固定側係止部は、各ケース体のうちの一方のケース体の前記コーナ部に、前記シャッタバネの第２の延長端部の屈曲部を固定側係止部に装着する際に、この屈曲部の軌道にほぼ沿った方向に形成された導入溝部を有し、この導入溝部の終端部に、前記シャッタバネの第２の延長端部の屈曲部を受け止める受け部を設けるとともに、この受け部に連続して、前記コーナ部と反対方向に切り込み形成した抜け止め溝部を設け, 前記抜け止め溝部は、前記シャッタバネのコイル部を中心とする前記第２の延長端部の屈曲部の揺動方向にほぼ沿った方向に形成されていることを特徴とする。
【００１１】
本発明のディスクカセットにおいて、シャッタバネがカセットケースの前端縁部側からカセットケースの内方に向かって負荷を受けた場合、前記コーナ部の固定側係止部に装着されたシャッタバネの屈曲部は、導入溝部の終端部に設けた受け部よりカセットケースの内方に変位し、抜け止め溝部に係合する。
したがって、シャッタバネの固定側係止部に装着された屈曲部は、シャッタバネにかかる負荷に抗して、抜け止め溝部によって係合保持され、シャッタバネの離脱を防止できる。
【００１２】
【発明の実施の形態】
次に、本発明によるディスクカセットの実施の形態例について説明する。
図１は、本発明によるディスクカセットのシャッタバネ装着部の構成を示す要部正面図であり、図２はディスクカセットの全体構成を示す概略斜視図である。
本例のディスクカセットは、図２に示すように、それぞれ合成樹脂によりほぼ正方形の板状に形成された上側ケース体（ｕｐｐｅｒ  ｓｈｅｌｌ）１０と下側ケース体（ｌｏｗｅｒ  ｓｈｅｌｌ）１２とを互いに重ね合わせるようにねじ止めし、各ケース体１０、１２の間に記録ディスク１４を回転自在に収容するものである。
【００１３】
各ケース体１０、１２には、記録ディスク１４の記録面１４ａを露出させて所定の記録ヘッド（図示せず）により情報の記録再生を行うためのウインド部１０ａ、１２ａが形成されている。
また、上側ケース体１０には、ウインド部１０ａに連続して記録ディスク１４のセンターハブ１４ｂを装着するハブ受け孔部１０ｂが形成されている。
【００１４】
一方、下側ケース体１２には、記録ディスク１４のセンターハブ１４ｂを受ける円形のリブ１２ｂと、記録ディスク１４の外周を囲むディスク収容部を構成するリブ１２ｃが設けられている。
なお、図２では示していないが、上側ケース体１０にも、リブ１２ｂと同形状で、記録ディスク１４のセンターハブ１４ｂを受ける円形のリブが設けられている。また、上側ケース体１０にも、リブ１２ｃと同形状で、記録ディスク１４の外周を囲む円形のリブが設けられており、下側ケース体１２のリブ１２ｃと重なることで、ディスク収容部が構成される。
また、各ケース体１０、１２には、上述したリブの他、多数の補強用リブが一体形成されている。また、各ケース体１０、１２の間には、記録ディスク１４の誤消去防止用のライトプロテクタ４２が配設される。
【００１５】
また、各ケース体１０、１２を接合して一体化したケースの前端縁部には、その幅方向に長手形状を有するスライダ１６が装着されており、このスライダ１６には、前記各ウインド部１０ａ、１２ａおよびハブ受け孔部１０ｂを閉成するためのシャッタ板１８がネジ止めされる。
スライダ１６は、ケース体１０、１２の前端縁部に形成したシャッタスライド溝に係合する係合片１６ａを有し、シャッタスライド溝にガイドされて、ケースの前端縁部に沿ってスライドするようになっている。なお、図２では、ケース体１２側のシャッタスライド溝１２ｄだけを示している。
【００１６】
また、シャッタ板１８は、スライダ１６へのねじ止め装着部１８ａの両側に、ケースの上下両面に延出した略長方形状のシャッタ板部１８ｂ、１８ｃを設けたものである。
なお、ケース体１０には、長尺に形成されたシャッタ板部１８ｂの先端部を安定させるためのシャッタガイド４０が装着される。
【００１７】
また、ケース体１０、１２の前端縁部の両側のコーナ部１０Ａ、１０Ｂ、１２Ａ、１２Ｂには、スライダ１６のスライド移動範囲を制限する凸部１０ｃ、１０ｄ、１２ｅ、１２ｆが設けられている。
そして、ケース体１２のシャッタがウインド部１２ａを開成する方向に移動する側のコーナ部１２Ａと、シャッタのスライダ１６との間には、シャッタバネ２２が設けられている。このシャッタバネ２２は、シャッタ板１８およびスライダ１６がウインド部１０ａ、１２ａを開成する方向に移動して、コーナ部１２Ａ側に接近した際に、シャッタ板１８およびスライダ１６にバネ力を付与し、ウインド部１０ａ、１２ａを閉成する方向に付勢するものである。
【００１８】
シャッタバネ２２は、図３（１）（２）に示すように、捩りコイルバネ状に形成されており、コイル部２２Ａの両端を延長して形成した各延長端部２２Ｂ、２２Ｃの先端に、それぞれ屈曲部２２ｂ、２２ｃを形成したものである。
そして、第１の延長端部２２Ｂの屈曲部２２ｂは、前記スライダ１６の端部を切り欠いて形成した移動側係止部１６Ａに係止されている。なお、移動側係止部１６Ａは、シャッタ板１８によって覆われ、屈曲部２２ｂの離脱防止が図られている。
【００１９】
一方、第２の延長端部２２Ｃの屈曲部２２ｃは、コーナ部１２Ａに設けた固定側係止部に係止されている。この固定側係止部は、図１に示すように、凸部１２ｅに設けたリブ２４と、コーナ部１２Ａの内方側に設けたリブ２６との間に屈曲部２２ｃを係止する導入溝部２８を形成したものである。また、ケース体１２の外周に設けたリブ３０が、各リブ２４、２６と連続しており、リブ３０の内側に導入溝部２８の終端部が位置している。
また、導入溝部２８は、この導入溝部２８にシャッタバネ２２を屈伸させて装着する際に、屈曲部２２ｃの軌道に沿った方向に形成され、屈曲部２２ｃをスムーズに導けるようになっている。
また、導入溝部２８の終端部は、凸部１２ｅ側にやや傾斜して形成され、屈曲部２２ｃを受け止める受け部３４となっている。
【００２０】
さらに、リブ２６には、導入溝部２８より連続して、ケース体１２の内方に屈曲した抜け止め溝部３２が形成されている。すなわち、この抜け止め溝部３２は、シャッタバネ２２のコイル部２２Ａを中心とする第２の延長端部２２Ｃの屈曲部２２ｃの揺動方向にほぼ沿った方向に形成され、導入溝部２８と抜け止め溝部３２とは、やや角度の狭い略Ｌ字形に連続している。
また、このような導入溝部２８を形成したリブ２６は、シャッタスライド溝１２ｄを形成するリブ３６より後退した位置に形成され、シャッタスライド溝１２ｄを避けるように臨んでおり、スライダ１６の移動に干渉しないようになっている。
【００２１】
以上のような構成のディスクカセットでは、シャッタバネ２２を装着する場合、図４に示すように、シャッタバネ２２の各延長端部２２Ｂ、２２Ｃの間隔を狭める方向に屈曲させて、第２の延長端部２２Ｃの屈曲部２２ｃを導入溝部２８の入り口に挿入することにより、シャッタバネ２２のバネ力で、屈曲部２２ｃが導入溝部２８に沿ってスライドし、スムーズな動作により受け部３４にセットできる。
【００２２】
そして、このようにセットされたシャッタバネ２２が、図１に示す矢線Ｚ方向に負荷を受けた場合には、図１に実線で示す状態から、第２の延長端部２２Ｃの屈曲部２２ｃが抜け止め溝部３２に沿って変位し、破線で示す状態となる。
これによって、第２の延長端部２２Ｃの屈曲部２２ｃは、シャッタバネ２２の屈曲変形に対して抜け止め溝部３２に係止された状態に保持されるため、コーナ部１２Ａの固定側係止部より離脱しない。
【００２３】
また、矢線Ｚ方向の負荷がなくなると、第２の延長端部２２Ｃの屈曲部２２ｃは、再び図１に実線で示す状態に復帰でき、正常な動作を維持できる。
以上のように、本例のディスクカセットにおいては、シャッタバネ２２の装着作業における高い作業性を得ることができ、かつ、シャッタバネ２２の離脱を有効に防止して、信頼性の高いディスクカセットを提供することができる。
なお、以上の説明では、シャッタバネ２２の第１の延長端部２２Ｂの屈曲部２２ｂを前記スライダ１６に形成した移動側係止部１６Ａに係止したが、同様の係止部をシャッタ板１８に設けてもよい。
【００２４】
【発明の効果】
以上説明したように、本発明では、カセットケースのコーナ部に設けたシャッタバネの固定側係止部に、シャッタバネの延長端の屈曲部を装着するための導入溝部および受け部に連続して、前記コーナ部と反対方向に形成した抜け止め溝部を設けた。
このため、シャッタバネがカセットケースの前端縁部側からケースの内方に向かって負荷を受けた場合にも、シャッタバネの屈曲部は内方に変位して抜け止め溝部に係合保持されるので、シャッタバネの離脱を有効に防止することができる。
これにより、ディスクカセットの信頼性を向上できるとともに、製造工程における検査工程の簡略化や製品歩留の改善を図ることが可能となる。
【図面の簡単な説明】
【図１】本発明によるディスクカセットのシャッタバネ装着部の構成例を示す要部正面図である。
【図２】図１に示すディスクカセットの全体構成を示す概略斜視図である。
【図３】図１に示すディスクカセットのシャッタバネを示す平面図および側面図である。
【図４】図１に示すディスクカセットのシャッタバネ装着部において、シャッタバネを装着する場合の状態を示す要部正面図である。
【図５】従来のディスクカセットのシャッタバネ装着部の構成例を示す要部正面図である。
【符号の説明】
１０、１２……ケース体、１０ａ、１２ａ……ウインド部、１０Ａ、１０Ｂ、１２Ａ、１２Ｂ……コーナ部、１０ｃ、１０ｄ、１２ｅ、１２ｆ……凸部、１４……記録ディスク、１６……スライダ、１６Ａ……移動側係止部、１８……シャッタ板、２２……シャッタバネ、２２Ｂ、２２Ｃ……延長端部、２２ｂ、２２ｃ……屈曲部、２４、２６、３０……リブ、２８……導入溝部、３２……抜け止め溝部、３４……受け部。
【図１】
0003570115.tif 000002
【図２】
0003570115.tif 000003
【図３】
0003570115.tif 000004
【図４】
0003570115.tif 000005
【図５】
0003570115.tif 000006